(57)【要約】【課題】  より簡便な構成と低コストにより無線通信を利用したセキュリティ強度の向上が可能な電子機器およびケンジントンロックを提供することを目的とする。【解決手段】  ユーザはキーボード１０などの入力デバイスを介してケンジントンロック１３を開錠するための開錠コードを入力する。入力された開錠コードはケンジントンロック１３へ送信される。コンピュータ１から送信された開錠コードはケンジントンロック１３のアンテナ４６を介して無線通信部４１により受信される。ケンジントンロック１３の無線通信部４１がユーザにより入力された開錠コードを受信し、受信した開錠コードと記憶部４４に格納された開錠コードとが一致するか否かを判定し、一致すると判定されると、制御部４０の指示によりロック機構４５が駆動されコンピュータ１に施錠されていたケンジントンロック１３を開錠する。【選択図】  図４
2009134556.tif 000002
【特許請求の範囲】
【請求項１】
本体と、
前記本体に設けられる入力部と、
前記本体に設けられる錠穴と、
前記本体内に設けられ、前記入力部を介して入力される開錠コードを送信する第１の無
線通信部と、
前記錠穴を介して前記本体に装着されるケンジントンロックと、
前記ケンジントンロックに設けられ、前記第１の無線通信部から送信される開錠コード
を受信する第２の無線通信部と、
前記ケンジントンロックに設けられ、前記ケンジントンロックを開錠するための開錠コ
ードを記憶する記憶部と、
前記ケンジントンロックに設けられ、前記受信した開錠コードと前記記憶部に記憶され
た開錠コードとが一致するかどうかを判定する判定部と、
前記判定部により開錠コードが一致すると判定されると、前記ケンジントンロックを開
錠する制御部と
を備えることを特徴とする電子機器。
【請求項２】
前記第１の無線通信部および前記第２の無線通信部はＢｌｕｅｔｏｏｔｈ（Ｒ）により無線通信を行うことを特徴とする請求項１記載の電子機器。
【請求項３】
前記本体に表示装置が設けられ、前記表示装置に前記開錠コードを入力する入力画面が
表示されることを特徴とする請求項１記載の電子機器。
【請求項４】
前記判定部により開錠コードが不一致であると判定されると、前記表示装置に開錠コー
ドが不一致であることを表示されることを特徴とする請求項３記載の電子機器。
【請求項５】
少なくとも入力部と第１の無線通信部とを備えた電子機器に装着可能なケンジントンロ
ックであって、
錠機構を有する本体と、
前記本体に設けられ、前記入力部を介して入力され前記第１の無線通信部から送信され
る開錠コードを受信する第２の無線通信部と、
前記本体に設けられ、前記錠機構を開錠するための開錠コードを記憶する記憶部と、
前記本体に設けられ、前記受信した開錠コードと前記記憶部に記憶された開錠コードと
が一致するかどうかを判定する判定部と、
前記判定部により開錠コードが一致すると判定されると、前記錠機構を開錠する制御部
と
を備えることを特徴とするケンジントンロック。
【発明の詳細な説明】
【技術分野】
【０００１】
本発明は電子機器に関し、特に無線通信を利用したセキュリティ方法に関する。
【背景技術】
【０００２】
不正なアクセスによる情報漏えい防止の観点から、コンピュータに代表される電子機器
に関するセキュリティ方法が提案されている。従来からのパスワード入力による認証の他
に、指紋や静脈等の生体データを利用した認証方法も用いられるようになっている。その
他、電子機器本体の持ち出しを防ぐため、機械的な錠で電子機器を机に固定し物理的に持
ち出しを防止する方法も採用される。また、近年では盗難防止や物品保管の観点から無線
通信システムも合わせて利用されるようになっている。
【０００３】
特許文献１には、無線通信を利用して電子錠を制御するシステムが開示されている。電
子錠本体は無線アクセスポイントと通信する無線ＬＡＮ装置を具備し、リモコンから受信
する解錠要求情報と記憶する情報とを照合した結果に基づき、電子錠を解錠するか否かを
判断する。
【特許文献１】特開２００４−９２３５２号公報
【発明の開示】
【発明が解決しようとする課題】
【０００４】
しかし、上記の方式を実現するためには、無線アクセスポイントや通信ネットワークな
どの比較的大掛かりな設備が必要になるという問題がある。
【０００５】
そこで本発明の目的は、より簡便な構成と低コストにより無線通信を利用したセキュリ
ティ強度の向上が可能な電子機器およびケンジントンロックを提供することにある。
【課題を解決するための手段】
【０００６】
上記目的を達成するために本発明に係る電子機器は、本体と、前記本体に設けられる入
力部と、前記本体に設けられる錠穴と、前記本体内に設けられ、前記入力部を介して入力
される開錠コードを送信する第１の無線通信部と、前記錠穴を介して前記本体に装着され
るケンジントンロックと、前記ケンジントンロックに設けられ、前記第１の無線通信部か
ら送信される開錠コードを受信する第２の無線通信部と、前記ケンジントンロックに設け
られ、前記ケンジントンロックを開錠するための開錠コードを記憶する記憶部と、前記ケ
ンジントンロックに設けられ、前記受信した開錠コードと前記記憶部に記憶された開錠コ
ードとが一致するかどうかを判定する判定部と、前記判定部により開錠コードが一致する
と判定されると、前記ケンジントンロックを開錠する制御部とを備えることを特徴とする
。
【０００７】
上記目的を達成するために本発明に係るケンジントンロックは、少なくとも入力部と第
１の無線通信部とを備えた電子機器に装着可能なケンジントンロックであって、錠機構を
有する本体と、前記本体に設けられ、前記入力部を介して入力され前記第１の無線通信部
から送信される開錠コードを受信する第２の無線通信部と、前記本体に設けられ、前記錠
機構を開錠するための開錠コードを記憶する記憶部と、前記本体に設けられ、前記受信し
た開錠コードと前記記憶部に記憶された開錠コードとが一致するかどうかを判定する判定
部と、前記判定部により開錠コードが一致すると判定されると、前記錠機構を開錠する制
御部とを備えることを特徴とする。
【発明の効果】
【０００８】
本発明によれば、より簡便な構成と低コストにより無線通信を利用したセキュリティ強
度の向上が可能な電子機器およびケンジントンロックを提供することができる。
【発明を実施するための最良の形態】
【０００９】
以下本発明に係る実施の形態を、図面を参照して説明する。図１は本発明の実施形態に
係る電子機器を示す外観斜視図である。本実施形態では電子機器としてノート型のコンピ
ュータを例に説明する。
【００１０】
コンピュータ１は本体２を備え、本体２にはディスプレイユニット３がヒンジ部４を介
して回動可能に取り付けられている。ディスプレイユニット３は本体２の上面２ａが開放
される開き位置と、本体２の上面２ａが覆われる閉じ位置とで回動可能である。ディスプ
レイユニット３内にはＬＣＤ（Ｌｉｑｕｉｄ  Ｃｒｙｓｔａｌ  Ｄｉｓｐｌａｙ）５から
構成される表示装置が組み込まれる。また、ディスプレイユニット３内には、無線通信を
行うための第１のアンテナ６ａ、第２のアンテナ６ｂ、第３のアンテナが収容される。本
体２内には複数の電子部品を搭載した回路基板が収容され、この回路基板には複数の無線
通信モジュール７が実装されている。第１のアンテナ６ａは、第１の無線通信モジュール
７ａによって使用される送受信用アンテナであり、この第１のアンテナ６ａは、その共振
周波数帯域が、第１の無線通信モジュール７ａ用の周波数帯域を含むように構成されてい
る。第１の無線通信モジュール７ａは、ケーブル８ａを介して第１のアンテナ６ａに接続
されている。このケーブル８ａはヒンジ部４内に設けられた開口を通して本体２内からデ
ィスプレイユニット３内に導出されている。
【００１１】
第２のアンテナ６ｂは、第２の無線通信モジュール７ｂによって使用される送受信用ア
ンテナであり、第２の無線通信モジュール７ｂは、ケーブル８ｂを介して第２のアンテナ
６ｂに接続されている。第２のアンテナ６ｂはその共振周波数帯域が、第２の無線通信モ
ジュール７ｂの周波数帯域を含むように構成されている。
【００１２】
第３のアンテナ６ｃは、第３の無線通信モジュール７ｃによって使用される送受信用ア
ンテナであり、第３の無線通信モジュール７ｃは、ケーブル８ｃを介して第３のアンテナ
６ｃに接続されている。第３のアンテナ６ｃはその共振周波数帯域が、第３の無線通信モ
ジュール７ｃの周波数帯域を含むように構成されている。
【００１３】
ケーブル８ｂおよびケーブル８ｃは、ケーブル８ａと同様にヒンジ部４内に設けられた
開口を通して本体２内からディスプレイユニット３内に導出される。本体２の上面２ａに
はタッチパッド９およびキーボード１０が取り付けられ、コンピュータ１の電源をオン／
オフするための電源スイッチ１１も設けられている。
【００１４】
本体２の側面２ｂには錠として使用されるケンジントンロック１３を装着するための錠
穴１２が設けられる。ケンジントンロック１３の本体１３ａには錠穴１２に係合される突
起１４が設けられ、ケンジントンロック１３の突起１４が錠穴１２に挿入された後に突起
１４が矢印Ａの方向に回動されることで、ケンジントンロック１３が本体２に施錠される
ようにすることができる。
【００１５】
ケンジントンロック１３の突起１４を手動で回動することで本体２とケンジントンロッ
ク１３とが施錠されるようにしても良いし、ケンジントンロック１３の突起１４を回動す
るために別途鍵を設けても良い。またケンジントンロック１３にはワイヤ１５が設けられ
、ワイヤ１５を介してケンジントンロック１３と机等が固定されることで、ケンジントン
ロック１３が装着されたコンピュータ１の持ち出しを防止することができる。なお本体２
に施錠されたケンジントンロック１３は、後に詳述するように無線通信を利用した認証を
経ることで開錠される。
【００１６】
図２は本発明の実施形態に係るコンピュータの構成を示すブロック図である。コンピュ
ータ１には、ＣＰＵ２０、ノースブリッジ２１、主メモリ（ＲＡＭ）２２、グラフィック
スコントローラ２３、ＶＲＡＭ２４、サウスブリッジ２５、ハードディスクドライブ（Ｈ
ＤＤ）２６、ＢＩＯＳ−ＲＯＭ２７、エンベデッドコントローラ／キーボードコントロー
ラＩＣ（ＥＣ／ＫＢＣ）３０、およびＬＣＤ５、第１の無線通信モジュール７ａ、第２の
無線通信モジュール７ｂ、第３の無線通信モジュール７ｃ、タッチパッド９、キーボード
１０、電源スイッチ１１等が設けられている。
【００１７】
ＣＰＵ２０は、コンピュータ１の各コンポーネントの動作を制御するプロセッサである
。このＣＰＵ２０は、ＨＤＤ２６から主メモリ（ＲＡＭ）２２にロードされるオペレーテ
ィングシステムおよび各種アプリケーションプログラム／ユーティリティプログラムを実
行する。主メモリ（ＲＡＭ）２２は、各種データバッファの格納にも用いられる。また、
ＣＰＵ２０は、ＢＩＯＳ−ＲＯＭ２７に格納されたＢＩＯＳ（Basic Input Output Syste
m）も実行する。ＢＩＯＳはハードウェア制御のためのプログラムである。
【００１８】
ノースブリッジ２１は、ＣＰＵ１０のローカルバスとサウスブリッジ２５との間を接続
するブリッジデバイスである。また、ノースブリッジ２１は、ＰＣＩ  Ｅｘｐｒｅｓｓバ
スなどを介してグラフィックスコントローラ２３との通信を実行する機能も有している。
さらに、ノースブリッジ２１には、主メモリ（ＲＡＭ）１２を制御するメモリコントロー
ラも内蔵されている。
【００１９】
グラフィクスコントローラ２３は本コンピュータ１のディスプレイモニタとして使用さ
れるＬＣＤ５に表示する内容や輝度を制御する表示コントローラである。このグラフィク
スコントローラ２３は、ＯＳまたはアプリケーションプログラムによってビデオメモリ（
ＶＲＡＭ）２４に書き込まれた表示データに対応する映像信号をＬＣＤ５に送出する。
【００２０】
サウスブリッジ２５には、ＨＤＤ２６および第１の無線通信モジュール７ａ、第２の無
線通信モジュール７ｂ、第３の無線通信モジュール７ｃが接続される。ＨＤＤ２６は、Ｏ
Ｓや各種のアプリケーションプログラムを格納する。
【００２１】
本実施形態では、第１の無線通信モジュール７ａとしてＢｌｕｅｔｏｏｔｈモジュール
、第２の無線通信モジュール７ｂとしてＷＬＡＮ（Ｗｉｒｅｌｅｓｓ  Ｌｏｃａｌ  Ａｒ
ｅａ  Ｎｅｔｗｏｒｋ）モジュール、第３の無線通信モジュール７ｃとして３Ｇモジュー
ルを使用する場合を例に説明する。また、これらを区別する必要のない時は単に無線通信
モジュール７と記述して説明する。
【００２２】
Ｂｌｕｅｔｏｏｔｈは、数メートル程度の短距離無線通信を行う方式である。２．４５
ＧＨｚ帯の電波を使用し、他の無線通信方式より比較的小さい電力で通信を行うことがで
きる。ＷＬＡＮ（Ｗｉｒｅｌｅｓｓ  ＬＡＮ）は、特にIEEE 802.11諸規格に準拠した機
器で構成される無線ネットワークを指し、主に室内でＬＡＮケーブルを用いずにネットワ
ークを構成し通信するために用いられる。３Ｇ（３ｒｄ  Ｇｅｎｅｒａｔｉｏｎ）は第３
世代の携帯電話方式の総称であり、基本的にＣＤＭＡ（Code Division Multiple Access
）方式を採用し、高速なデータ通信やマルチメディアを利用した各種のサービスなどが提
供される。
【００２３】
ＥＣ／ＫＢＣ３０は電源管理のためのエンベデッドコントローラと、タッチパッド９お
よびキーボード１０などを制御するキーボードコントローラとが集積された１チップマイ
クロコンピュータである。ＥＣ／ＫＢＣ３０は、電源回路３１と共同して、ユーザによる
電源スイッチ１１の操作に応答してコンピュータ１をパワーオン／パワーオフする処理を
実行する。電源回路３１は、コンピュータ１に内蔵されたバッテリ３２からの電力、また
はＡＣアダプタ３３を介して外部から供給される電力を用いて、コンピュータ１内の各コ
ンポーネントに供給すべき電力を生成する。
【００２４】
図３は本発明の実施形態に係るケンジントンロックの機能を示すブロック図である。ケ
ンジントンロック１３は、制御部４０、無線通信部４１、電源４２、判定部４３、記憶部
４４、ロック機構４５およびアンテナ４６を備える。制御部４０はマイコン等により構成
される。
【００２５】
ケンジントンロック１３の無線通信部４１はコンピュータ１のＢｌｕｅｔｏｏｔｈモジ
ュール７ａと無線通信をすることが可能であり、制御部４０の指示によりアンテナ４６を
介してコンピュータ１とＢｌｕｅｔｏｏｔｈによる無線通信が行われる。電源４２はケン
ジントンロック１３の各コンポーネントが動作するために必要な電力を供給する。判定部
４３は、無線通信部４１を介してコンピュータ１から送信された開錠コードと、記憶部４
４に格納された開錠コードとが一致するか否かを判定する。ロック機構４５は突起１４や
この突起１４を回動させる機構等から構成され、ケンジントンロック１３をコンピュータ
１に施錠するためのものである。判定部４３により、コンピュータ１から送信された開錠
コードと記憶部４４に格納された開錠コードとが一致すると判定されると、制御部４０の
指示によりロック機構４５が駆動されコンピュータ１に施錠されていたケンジントンロッ
クを開錠する。
【００２６】
図４は本発明の実施形態に係る認証処理の動作を示すフローチャートである。図５乃至
図７は本発明の実施形態に係る認証処理時の画面表示の一例を模式的に示す図である。
【００２７】
ユーザがケンジントンロックを外してコンピュータ１を持ち運ぶためには以下の認証処
理を経る必要がある。ユーザはまずユーティリティプログラムを起動する（ステップ１−
１）。ユーティリティプログラムを起動するとＬＣＤ５の画面上に図５に示すように、開
錠コードを入力するための画面が表示される。ユーザはキーボード１０などの入力デバイ
スを介してケンジントンロック１３を開錠するための開錠コードを入力する（ステップ１
−２）。入力された開錠コードはＢＩＯＳやＢｌｕｅｔｏｏｔｈモジュール７ａのドライ
バを介してＢｌｕｅｔｏｏｔｈモジュール７ａへ通知される。Ｂｌｕｅｔｏｏｔｈモジュ
ール７ａではアンテナ６ａを介して開錠コードをケンジントンロック１３へ送信する（ス
テップ１−３）。
【００２８】
コンピュータ１から送信された開錠コードはケンジントンロック１３のアンテナ４６を
介して無線通信部４１により受信される（ステップ１−４）。ケンジントンロック１３の
無線通信部４１がユーザにより入力された開錠コードを受信し、受信した開錠コードと記
憶部４４に格納された開錠コードとが一致するか否かを判定する（ステップ１−５）。受
信した開錠コードと記憶部４４に格納された開錠コードとが一致すると判定されると（ス
テップ１−５のＹｅｓ）、制御部４０の指示によりロック機構４５が駆動されコンピュー
タ１に施錠されていたケンジントンロック１３を開錠する（ステップ１−６）。この時Ｌ
ＣＤ５の画面上に図６に示すようなダイアログボックスを表示させ、開錠した旨をユーザ
に通知する。一方、受信した開錠コードと記憶部４４に格納された開錠コードとが不一致
であると判定されると（ステップ１−５のＮｏ）、ケンジントンロック１３は開錠せず、
ＬＣＤ５に図７に示すようなダイアログボックスを表示させ、開錠コードが間違っている
旨をユーザに通知する（ステップ１−７）。
【００２９】
以上の説明のように本発明の実施形態では、Ｂｌｕｅｔｏｏｔｈのような数メートル程
度の短距離無線通信を利用することで、無線アクセスポイントや通信ネットワークなどの
ような比較的大掛かりな設備を必要とせずに、より簡便な構成と低コストにより無線通信
を利用したセキュリティ強度の向上が可能な電子機器およびケンジントンロックを提供す
ることができる。
【００３０】
本発明ではその主旨を逸脱しない範囲であれば、上記の実施形態に限定されるものでは
なく種々の変形が可能である。
【図面の簡単な説明】
【００３１】
【図１】本発明の実施形態に係る電子機器を示す外観斜視図。
【図２】本発明の実施形態に係る電子機器の構成を示すブロック図。
【図３】本発明の実施形態に係るケンジントンロックの機能を示すブロック図。
【図４】本発明の実施形態に係る認証処理の動作を示すフローチャート。
【図５】本発明の実施形態に係る認証処理時の画面表示の一例を模式的に示す図。
【図６】本発明の実施形態に係る認証処理時の画面表示の一例を模式的に示す図。
【図７】本発明の実施形態に係る認証処理時の画面表示の一例を模式的に示す図。
【符号の説明】
【００３２】
１…コンピュータ、２…本体、３…ディスプレイユニット、４…ヒンジ部、６ａ…アンテ
ナ、６ｂ…アンテナ、６ｃ…アンテナ、７ａ…Ｂｌｕｅｔｏｏｔｈモジュール、７ｂ…Ｗ
ＬＡＮモジュール、７ｃ…３Ｇモジュール、８ａ…ケーブル、８ｂ…ケーブル、８ｃ…ケ
ーブル、９…タッチパッド、１０…キーボード、１１…電源スイッチ、１２…錠穴、１３
…ケンジントンロック、１４…突起、１５…ワイヤ、２０…ＣＰＵ、２１…ノースブリッ
ジ、２２…主メモリ、２３…グラフィクスコントローラ、２５…サウスブリッジ、２６…
ＨＤＤ、２７…ＢＩＯＳ−ＲＯＭ、３０…ＥＣ／ＫＢＣ、３１…電源回路、３２…バッテ
リ、３３…ＡＣアダプタ、４０…制御部、４１…無線通信部、４２…電源、４３…判定部
、４４…記憶部、４５…ロック機構、４６…アンテナ
【図１】
2009134556.tif 000003
【図２】
2009134556.tif 000004
【図３】
2009134556.tif 000005
【図４】
2009134556.tif 000006
【図５】
2009134556.tif 000007
【図６】
2009134556.tif 000008
【図７】
2009134556.tif 000009